(57)【要約】【課題】使用者が大量の汗をかいても臭いを防ぐことができる腰用サポータを提供する。【解決手段】腰用サポータ１０は、ベースとなる補強布１１と、補強布１１に設けられたベルト通し布１２と、補強布１１のベルト通し布１２が設けられた面（裏側の面）と反対側の面（表側の面）に、上部に開口部１３を持つように縫いつけられたメッシュ状の網目織り布１４と、吸水パット１５が、開口部１３から出し入れ可能に形成され、網目織り布１４が身体側に向くように設けられている。【選択図】図１
0003204282.tif 000002
【実用新案登録請求の範囲】
【請求項１】
ベースとなる補強布と、
前記補強布に設けられたベルト通し布と、
前記補強布の前記ベルト通し布が設けられた面と反対側の面に、上部に開口部を持つように縫いつけられたメッシュ状の網目織り布と、を有し、
温度調整具が前記開口部から出し入れ可能に形成され、
前記網目織り布が身体側に向くように設けられた
腰用サポータ。
【請求項２】
前記開口部には、チャックまたはホックが設けられている
請求項１記載の腰用サポータ。
【考案の詳細な説明】
【技術分野】
【０００１】
本考案は、腰用サポータに関し、特に、建築工事、電気工事、土木工事などで使用されるカラビナや工具袋吊り下げ用ベルトにセットされ作業時における腰の保護のために使用される腰用サポータに関するものである。
【背景技術】
【０００２】
従来、建築工事、電気工事、土木工事などで使用されるカラビナや工具袋吊り下げ用ベルトにはカラビナや工具袋に入れられる工具の重量による腰の疲労を和らげたり作業時の緩衝のために腰用サポータが装着されている。この腰用サポータとしてはナイロンを素材として平織により硬く作られた細幅織物に発泡ポリエチレン、発泡ポリウレタンなどの発泡体を重ね、この発泡体の上から織物で包んでなるものが広く使用されている。
【０００３】
しかし、このような構成の腰用サポータを身体に当てたとき、細幅織物は硬いために身体に沿いにくく、また細幅織物は硬く角が角張っているので長時間の使用により細幅織物の角が当たる部分で身体に擦れ傷が生じるという問題があった。また、通気性に欠け、蒸れ、結露が生じ、衣料内環境を快適に維持できないという問題があった。
【０００４】
そこで、特許文献１では、表側および裏側の地組織が連結糸で連結された三次元編織物布帛が身体側に向くように設けられた、軽量かつ柔軟で身体に対するフィット性に優れ、通気性にも優れた腰用サポータを開示している。
【先行技術文献】
【特許文献】
【０００５】
【特許文献１】実開平７−３１０１４号公報
【考案の概要】
【考案が解決しようとする課題】
【０００６】
腰用サポ[タを使用する作業者は、体を動かして作業をする。そのとき、汗をかく。汗は、摂取した水分量で決まる。作業者が、真夏、平均気温３０℃前後で、体重６５Ｋｇの人がかく汗の量は、一日８時間労働で約１１〜１２Ｌの汗をかく、というデータがある。汗をかくと、当然臭いが気になる。作業着等の衣類は、洗濯ができるが、特許文献１で開示されるような従来の腰用サポータは、洗濯できず、しみ込んだ大量の汗で臭いがかなりついてしまうという問題点があった。
【０００７】
そこで、本考案の目的は、使用者が大量の汗をかいても臭いを防ぐことができる腰用サポータを提供することにある。
【課題を解決するための手段】
【０００８】
本考案に係る腰用サポータは、上記の目的を達成するために、次のように構成される。
【０００９】
腰用サポータは、ベースとなる補強布と、前記補強布に設けられたベルト通し布と、前記補強布の前記ベルト通し布が設けられた面と反対側の面に、上部に開口部を持つように縫いつけられたメッシュ状の網目織り布と、を有し、温度調整具が前記開口部から出し入れ可能に形成され、前記網目織り布が身体側に向くように設けられている。
【００１０】
腰用サポータは、好ましくは上記の構成において、開口部には、チャックまたはホックが設けられている。
【考案の効果】
【００１１】
本考案によれば、腰用サポータは、ベースとなる補強布と、補強布に設けられたベルト通し布と、補強布のベルト通し布が設けられた面と反対側の面に、上部に開口部を持つように縫いつけられたメッシュ状の網目織り布と、開口部から出し入れ可能に挿入された吸水パットとからなり、網目織り布が身体側に向くように設けられたため、使用者が大量の汗をかいてもその汗を吸水パットで吸い取ることができ、その汗を吸い取った吸水パットを定期的に洗濯することで汗による臭いを防ぐことができる腰用サポータを提供することができる。
【図面の簡単な説明】
【００１２】
【図１】本考案の実施形態に係る腰用サポータの（ａ）裏側の面を示す図、（ｂ）表側の面を示す図及び（ｃ）上部から見た図である。
【図２】腰用サポータをベルトに取り付けたときの状態を示す図であり、ベルトを前面から見た斜視図である。
【図３】腰用サポータをベルトに取り付けたときの状態を示す図であり、ベルトを背面から見た斜視図である。
【図４】腰用サポータをベルトに取り付けたときの状態を示す図である。
【図５】開口部にチャックを設けた腰用サポータを示す図である。
【図６】開口部にホックを設けた腰用サポータを示す図である。
【考案を実施するための形態】
【００１３】
図１（ａ）及び図１（ｂ）は、それぞれ本考案の実施形態に係る腰用サポータの裏側の面を示す図、表側の面を示す図及び上部から見た図である。
図２〜図４は、腰用サポータをベルトに取り付けたときの状態を示す図である。
特に、図２は、ベルトを前面から見た斜視図であり、図３は、ベルトを背面から見た斜視図である。
【００１４】
腰用サポータ１０は、ベースとなる補強布１１と、補強布１１に設けられたベルト通し布１２と、補強布１１のベルト通し布１２が設けられた面（裏側の面）と反対側の面（表側の面）に、上部に開口部１３を持つように縫いつけられたメッシュ状の網目織り布１４と、開口部１３から出し入れ可能に挿入された吸水パット１５とからなり、網目織り布１４が身体側に向くように設けられている。
【００１５】
上記のように構成された腰用サポータ１０は、使用者が大量の汗をかいてもメッシュ状の網目織り布１４と、開口部１３から出し入れ可能に挿入された吸水パット１５によりその汗を吸い取ることができ、その汗を吸い取った吸水パット１５を定期的に洗濯することで汗による臭いを防ぐことができる。
【００１６】
実際に使用する場合、図２〜図４に示すように、ベルト通し布１２にベルト１６を通して用いる。使用者は、腰用サポータ１０の網目織り布１４が身体側に向くように腰にあて、腰の周りにベルト１６をまき、バックル１７でとめる。また、ベルト１６の長さは、調整具１８で調整する。
【００１７】
腰用サポータ１０を使用する作業者は、体を動かして作業をする。そのとき、汗をかくが、その汗は、腰の部分でのメッシュ状の網目織り布１４と、開口部１３から出し入れ可能に挿入された吸水パット１５によりその汗を吸い取ることができる。
【００１８】
腰用サポータ１０は、図１のように、中心付近が下側に伸びている構造を有している。
そのため、腰をサポートして、各種の作業を行う際に疲労を提言する機能も有している。
【００１９】
また、図１（ｂ）の太い点線の位置で、糸が通されている。これによって、吸水パット１５を収納するポケットのようになっている。
また、この糸は、腰用サポータ１０の中心付近の上部から、下方に縫い進まれている。そして、その後、腰用サポータ１０の外側に向かってさらに縫い進まれている。さらにその後、腰用サポータ１０の外側位置で、下から上方向に向かってさらに縫い進まれている。
その結果、この糸は、Ｕ字型に縫われていることになる。
このＵ字型が、吸水パット１５を収納するポケットとなる。
これによって、１回のミシン作業によって吸水パット１５の収納用のポケットを形成できるというメリットがある。
【００２０】
本発明において、吸水パット１５は必須の構成ではない。確かに、夏場においては、吸水パット１５は重要な要素である。しかし、本発明の腰用サポータ１０の吸水パット１５を例えば、保冷材に変えることも当然に可能である。
さらに、本発明の腰用サポータ１０の吸水パット１５を、例えば、保温材又はカイロ等に変えることも当然に可能である。
これによって、夏のみならず冬に腰用サポータ１０を使用することもそのまま可能である。
これらの、吸水パット１５の収納用のポケットに入れられるものを、本発明では温度調整具という。
また、吸水パット１５の収納用のポケットは、これらの吸水パット１５等を入れない場合には、貴重品などを入れるポケットとして使用することも当然に可能である。
【００２１】
また、吸水パット１５の収納用のポケットに、外気温が低い際に、暖房機能を有するカイロ等を入れて暖を取るという利用方法のみならず以下の様な利用方法もあり得る。
腰用サポータ１０を利用するユーザ（作業者）は、その作業の特性から、腰痛等を有していることが比較的多い、そのため、腰部分を温めてその症状の緩和・治療をしたいという要望があることがありえる。
そのため、このようなユーザの要望に答えるために、吸水パット１５の収納用のポケットをいれることも可能に形成している。
【００２２】
また、図５に示されるように、腰用サポータ１０の開口部１３に、チャック１９を設けたり、図６に示されるようにホック２０を設けるようにしても良い。それにより、吸水パット１５が開口部１３から飛び出しにくくすることができる。
【００２３】
さらに、腰用サポータ１０は、網目織り布１４を様々な色にしたものにすることもできる。それにより、個人個人の所有物として区別することができるようになる。
【００２４】
以上のように、本考案によれば、腰用サポータ１０は、ベースとなる補強布１１と、補強布１１に設けられたベルト通し布１２と、補強布１１のベルト通し布１２が設けられた面と反対側の面に、上部に開口部１３を持つように縫いつけられたメッシュ状の網目織り布１４と、開口部１３から出し入れ可能に挿入された吸水パット１５とからなり、網目織り布１４が身体側に向くように設けられたため、使用者が大量の汗をかいてもその汗を吸水パット１５で吸い取ることができ、その汗を吸い取った吸水パット１５を定期的に洗濯することで汗による臭いを防ぐことができる。
【００２５】
以上の実施形態で説明された構成、形状、大きさおよび配置関係については本考案が理解・実施できる程度に概略的に示したものにすぎず、また数値および各構成の組成（材質）等については例示にすぎない。従って本考案は、説明された実施形態に限定されるものではなく、実用新案登録請求の範囲に示される技術的思想の範囲を逸脱しない限り様々な形態に変更することができる。
【００２６】
本発明の温度調整具は、現実に温度を上昇下降させることができるもののほか、汗を吸収する、清涼感の生ずる薬剤等を含んだもの、温暖感の生ずるものが含まれる。また、温度を保持できるものとしては、例えば断熱物質もありえる。
具体的には、温度を上昇させるものとしてカイロが有り得る。また、温度を加工させるものとして、保冷剤があり得る。また、液体の気化熱を利用した保冷剤などもあり得る。
汗を吸着するものとして、水分吸収剤があり得る。
清涼感を生ずる薬剤としては、例えばメンソール系の物質を含んだものがあえる。
温暖感を生ずる薬剤としては、唐辛子等の物質を含んだものがありえる。
【産業上の利用可能性】
【００２７】
本考案の腰用サポータは、建築工事、電気工事、土木工事などで使用されるカラビナや工具袋吊り下げ用ベルトにセットされ作業時における腰の保護のために使用される腰用サポータとして利用することができる。
【符号の説明】
【００２８】
１０      腰用サポータ
１１      補強布
１２      ベルト通し布
１３      開口部
１４      網目織り布
１５      吸水パット（温度調整具）
１６      ベルト
１７      バックル
１８      調整具
１９      チャック
２０      ホック
【図１】
0003204282.tif 000003
【図２】
0003204282.tif 000004
【図３】
0003204282.tif 000005
【図４】
0003204282.tif 000006
【図５】
0003204282.tif 000007
【図６】
0003204282.tif 000008